(57)【要約】      （修正有）【課題】間伐材を利用できるので自然にやさしく、草木を植えるので緑化促進を図ることができ、構築した後は改修や保守点検が不要である土留め用構造物及びこの土留め用構造物の構築方法を提供する。【解決手段】土留め用構造物は、複数の木製の縦置き部材２と複数の木製の横置き部材３とを組み付けてなり、横置き部材３の各々に、法面１０１とは反対側から法面１０１側に向けて延びる貫通孔３１が設けられ、貫通孔３１に筒状部材５が装着され、筒状部材５に根葉を有する植物６が収納されている。筒状部材５は、上方構成部材と下方構成部材とを組み合わせて成り、下方構成部材の法面１０１に対し反対側の端部を上方構成部材の法面１０１に対し反対側の端部よりも突出させることで、下方構成部材の端部に水受け部が形成されている。【選択図】図２
2017082545.tif 000002
【特許請求の範囲】
【請求項１】
複数の木製の縦置き部材と複数の木製の横置き部材とを組み付けてなり、法面に構築される土留め用構造物であって、
前記複数の横置き部材のそれぞれに、前記法面とは反対側から前記法面側に向けて延びる貫通孔が設けられ、前記貫通孔に筒状部材が装着され、この筒状部材に根葉を有する植物が収納されていると共に、
前記筒状部材は、断面が円弧状の上方構成部材と断面が円弧状の下方構成部材とを組み合わせて成り、前記下方構成部材の法面に対し反対側の端部を、前記上方構成部材の法面に対し反対側の端部よりも突出させることで、前記下方構成部材の前記端部に水受け部が形成されていることを特徴とする土留め用構造物。
【請求項２】
前記横置き部材間にスペーサを介在させることにより前記横置き部材間に空間部が形成されていると共に、前記横置き部材間の空間部に草体の種子が入った収納袋或いは草体が生えた収納袋が装着されていることを特徴とする請求項１に記載の土留め用構造物。
【請求項３】
前記スペーサの法面側は、前記空間部より外部に突出していると共に、前記突出部位は、前記空間部の法面側の開口縁に当たるストッパを有することを特徴とする請求項２に記載の土留め用構造物。
【請求項４】
複数の木製の縦置き部材と複数の木製の横置き部材とを組み付けて、法面に構築する土留め用構造物として、前記法面とは反対側から前記法面側に向けて延びる貫通孔が設けられた横置き部材が用いられる土留め用構造物の構築方法であって、
前記複数の縦置き部材に対し、前記横置き部材を取り付け、前記横置き部材の径方向の上側にスペーサを配置した後、次の横置き部材を前記横置き部材の上方となるように取り付けることで、上下に位置する横置き部材間に空間部を形成する工程と、
前記横置き部材の貫通孔に、断面が円弧状の上方構成部材と断面が円弧状の下方構成部材とを組み合わせて成ると共に根葉を有する苗木が収納された筒状部材を装着する工程と、
前記横置き部材間の空間部に草体の種子が入った収納袋を装着する工程と、
を有することを特徴とする土留め用構造物の構築方法。
【発明の詳細な説明】
【技術分野】
【０００１】
この発明は、特に間伐材からなる木材や草木等を利用した土留め用、特に簡易土留め用の構造物及びこの土留め用構造物を構築する方法に関する。
【背景技術】
【０００２】
山地や丘陵地などに電線用鉄塔等を立てるにあたって、山地や丘陵地などを整地し、この整地によりできる法面の崩落や土砂の流出を防止するために、簡易土留め用構造物を法面に構築する場合がある。この簡易土留め用構造物の壁面部材が、キーストンプレート等のように金属製であると、時間の経過に伴い、錆付き等の腐食が生じて土留めとしての機能を果たさなくなるので、例えば１５年〜２０年ごとに壁面部材を交換する等、定期的に土留め用構造物の改修をする必要があった。
【０００３】
この点、特許文献１に示されるように、土留め用構造物として、金属製の壁面部材を用いず、代わりに、縦材及び横材を組み付けて壁面を構成すると共にこれらの縦材及び横材の双方について丸太などの木材を用いる発明は、既に開示されている。
【０００４】
また、近年において緑化促進が奨励されているところ、特許文献２の図４等に示されるように、土留め用構造物の横材を構成する丸太に当該丸太の径方向に延びる貫通孔を設け、この貫通孔に草木を植生した発明も、既に開示されている。
【先行技術文献】
【特許文献】
【０００５】
【特許文献１】特公平２−３８５８号公報
【特許文献２】特開２００１−３２２８６号公報
【発明の概要】
【発明が解決しようとする課題】
【０００６】
しかしながら、特許文献１では、土留め用構造物の縦材及び横材として丸太等の木材を用いるだけであるため、時間の経過により土留め用構造物を構成する木材が朽ちて土留めとしての機能を果たさなくなるので、縦材及び横材の交換等の定期的な改修を行う必要がある。
【０００７】
この点、特許文献２に示される土留め用構造物は、丸太の貫通孔に植生した草木が成長して法面に根付けば、これらの草木が朽ちた丸太の代わりに法面の崩落を防止したり土砂の流出を抑止したりすることが考えられる。
【０００８】
しかしながら、特許文献２では、丸太の貫通孔に草木を植生させるにあたって保水材を丸太の貫通孔内に配置する必要があるので、保水材から水分が失われると草木が育成し難くなることから、定期的に保水材に水分があるか否かを点検し、水分不足の場合には水分を供給するという保守が必要となる。
【０００９】
そこで、本発明は、間伐材を利用できるので自然にやさしく、草木を植えるので緑化促進を図ることができ、構築した後は改修や保守点検が不要である土留め用構造物及び土留め用構造物の構築方法を提供することを主たる課題としている。
【課題を解決するための手段】
【００１０】
上記課題を達成するために、請求項１に記載の土留め用構造物は、複数の木製の縦置き部材と複数の木製の横置き部材とを組み付けてなり、法面に構築される土留め用構造物であって、前記複数の横置き部材のそれぞれに、前記法面とは反対側から前記法面側に向けて延びる貫通孔が設けられ、前記貫通孔に筒状部材が装着され、この筒状部材に根葉を有する植物が収納されていると共に、前記筒状部材は、断面が円弧状の上方構成部材と断面が円弧状の下方構成部材とを組み合わせて成り、前記下方構成部材の法面に対し反対側の端部を、前記上方構成部材の法面に対し反対側の端部よりも突出させることで、前記下方構成部材の前記端部に水受け部が形成されていることを特徴とする。木製の縦置き部材、木製の横置き部材は、例えば丸太であり、これは、以下においても同様である。また、根葉を有する植物は、例えば樹木のうち苗木と成木との双方をいう。貫通孔は、法面とは反対側の開口の方が法面側の開口よりも上方に位置していることが望まれる。
【００１１】
これにより、縦置き部材及び横置き部材は木製であるため、間伐材から切り出した丸太を用いることができる。また、横置き部材の貫通孔に装着される筒状部材には根葉を有する植物が収納されているので、植物が根付くことにより法面について緑化の促進を図ることができる。そして、植物が根付くことによって、植物の根により法面が保持されるので、木製の縦置き部材及び横置き部材が時間の経過により朽ちて土留め用構造物として機能しなくなっても、法面の崩落や土砂の流出を防止することができる。更に、筒状部材の端部に水受け部を形成することにより、雨や霧、露等の自然の水を水受け部で受けて、筒状部材に収納された植物に送ることが可能であるので、保水材を筒状部材内に設置する必要がない。
【００１２】
そして、請求項２に記載の土留め用構造物にあっては、前記横置き部材間にスペーサを介在させることにより前記横置き部材間に空間部が形成されていると共に、前記横置き部材間の空間部に草体の種子が入った収納袋或いは草体が生えた収納袋が装着されていることを特徴とする。収納袋は、例えば種子よりも目の細かなネット状のものが望まれる。
【００１３】
これにより、収納袋から生えた芝等の草体によって法面の緑化促進が更に図られると共に収納袋から生えた芝等の草体の根によって法面が保持されるので、法面の崩落や土砂の流出をより効果的に防止することができる。
【００１４】
更に、請求項３に記載の土留め用構造物にあっては、前記スペーサの法面側は、前記空間部より外部に突出していると共に、前記突出部位は、前記空間部の法面側の開口縁に当たるストッパを有することを特徴とする。
【００１５】
これにより、土留め用構造物と法面との間の隙間を土砂で埋める際に土砂でスペーサが押されて横置き部材間の空間部からスペーサが抜け出ることが防止される。
【００１６】
請求項４に記載の土留め用構造物の構築方法は、複数の木製の縦置き部材と複数の木製の横置き部材とを組み付けて、法面に構築する土留め用構造物として、前記法面とは反対側から前記法面側に向けて延びる貫通孔が設けられた横置き部材が用いられる土留め用構造物の構築方法であって、前記複数の縦置き部材に対し、前記横置き部材を取り付け、前記横置き部材の径方向の上側にスペーサを配置した後、次の横置き部材を前記横置き部材の上方となるように取り付けることで、上下に位置する横置き部材間に空間部を形成する工程と、前記横置き部材の貫通孔に、断面が円弧状の上方構成部材と断面が円弧状の下方構成部材とを組み合わせて成ると共に根葉を有する苗木が収納された筒状部材を装着する工程と、前記横置き部材間の空間部に草体の種子が入った収納袋を装着する工程と、を有することを特徴とする。筒状部材を横置き部材の貫通孔に装着する工程は、縦置き部材に横置き部材を取り付ける前でも、縦置き部材に横置き部材を取り付けた後、横置き部材間の空間部に収納袋を装着する前でも、横置き部材の空間部に収納袋を装着した後のいずれでも良い。
【００１７】
このような工程を経ることにより、横置き部材の貫通孔に根葉を有する植物が収納された筒状部材が装着され、且つ横置き部間の空間部に草体の種子が収納された収納袋が装着された状態で、法面に土留め用構造物を構築することができる。
【発明の効果】
【００１８】
以上のように、本発明に係る土留め用構造物及び土留め用構造物の構築方法によれば、縦置き部材及び横置き部材は木製であるため、間伐材から切り出した丸太を用いることができるので、自然にやさしい土留め用構造物を構築することが可能である。また、本発明に係る土留め用構造物及び土留め用構造物の構築方法によれば、横置き部材の貫通孔に装着される筒状部材に根葉を有する植物が収納されているので、植物が根付くことにより法面について緑化の促進を図ることが可能である。これに伴い、縦置き部材や横置き部材は一時的な土留めのための部材となるので、交換や改修を行う必要がなくなり、縦置き部材や横置き部材の点検も不要となる。
【００１９】
そして、本発明に係る土留め用構造物及び土留め用構造物の構築方法によれば、植物が根付くことによって、植物の根により法面が保持されるため、木製の縦置き部材及び横置き部材が時間の経過により朽ちて土留め用構造物として機能しなくなっても、法面の崩落や土砂の流出を防止することができるので、構築した土留め用構造物について改修する必要がなくなる。また、本発明に係る土留め用構造物及び土留め用構造物の構築方法によれば、筒状部材の端部に水受け部を形成することにより、雨や霧、露等の自然の水を水受け部で受けて、筒状部材に収納された植物に送ることができるため、保水材を筒状部材内に設置する必要がないので、構築した土留め用構造物について保守点検しなくても良い。
【００２０】
特に請求項２に係る土留め用構造物によれば、収納袋から生えた芝等の草体によって法面の緑化促進が更に図られると共に、収納袋から生えた芝等の草体の根によって法面を保持することができるので、法面の崩落や土砂の流出を効率良く防止することが可能であることから、構築した土留め用構造物に対する改修の必要性をよりなくすことができる。
【００２１】
特に請求項３に記載の土留め用構造物によれば、土留め用構造物を構築した後に土留め用構造物と法面との間の隙間を土砂で埋める際に、土砂でスペーサが押されて、横置き部材間の空間部からスペーサが抜け出るのを防止することが可能である。
【図面の簡単な説明】
【００２２】
【図１】図１は、この発明の土留め用構造物の正面図である。
【図２】図２は、この発明の土留め用構造物の断面図である。
【図３】図３は、この発明の土留め用構造物を構成する横置きの丸太の断面図である。
【図４】図４は、この発明の土留め用構造物を構成する横置きの丸太の貫通孔に、苗木を収納しつつ筒状部材を装着する工程を示した説明図である。
【発明を実施するための形態】
【００２３】
以下、本発明の実施形態について添付図面を参照しながら説明する。
【００２４】
図１から図４において、例えば鉄塔等の建造物（図示せず。）を立てる敷地１００の法面１０１に構築された土留め用構造物１が示されている。図２に示される敷地１００は、例えば山地や丘陵地の傾斜面の中腹等を整地した場所であり、この整地により図２に示されるように他の傾斜面との境界をなす法面１０１が形成されている。
【００２５】
図１及び図２の土留め用構造物１は、土留めの一単位である。すなわち、複数の土留め用構造物１が連なることによって法面１０１を覆う土留めが構成される。
【００２６】
この図１及び図２の土留め用構造物１は、この実施例では、２つの縦置き部材２（図１の左側を２ａ、図１の右側を２ｂ）と、５つの横置き部材３（上から順に３ａ、３ｂ、３ｃ、３ｄ。３ｅ）とを組み付けて構成されている。これらの縦置き部材２、横置き部材３は全て木製であり、更にこの実施例では間伐材から切り出した円柱状の丸太が用いられている。縦置き部材２と横置き部材３との組み付けは、ボルト等で連結することで行っても良いが、この実施例では、図１に示されるように、線状部材４をたすき掛けに巻き付けることで、縦置き部材２と横置き部材３との組み付けを行っている。そして、線状部材４は、金属製のワイヤーを用いても良いが、紐等の土に帰ることのできる素材で形成されていることが望ましい。
【００２７】
各横置き部材２は、図１から図４に示されるように、当該横置き部材３の径方向であって一方が法面１０１とは反対側、他方が法面１０１側に開口した直線状の貫通孔３１が複数形成されている。貫通孔３１は、いずれも、法面１０１とは反対側の開口が上方を向くように斜めに延びている。
【００２８】
そして、この実施例では、５つの横置き部材３の貫通孔３１の配置は、図１に示されるように、例えば横置き部材３ｅの貫通孔３１、３１の間に横置き部材３ｄの貫通孔３１が位置するように、互い違い等のずれた配置となっている。但し、下記する根葉を有する植物６の植生時に干渉し合う等の問題がなければ、上側の横置き部材３の貫通孔３１と下側の横置き部材３の貫通孔３１とが同じ位置となっていても良い。
【００２９】
更に、横置き部材３の貫通孔３１には、根葉を有する植物６が収納された筒状部材５が装着されている。
【００３０】
根葉を有する植物６は、図３及び図４では樹木の苗木であり、根付きが良いものが用いられる。更に、根葉を有する植物６の成長速度は、縦置き部材２や横置き部材３が朽ちたときに成木となるものが望ましい。
【００３１】
筒状部材５は、図３及び図４に示されるように、断面が半円の円弧状の上方構成部材５１と断面が半円の円弧状の下方構成部材５２とを組み合わせて成っている。もっとも、上方構成部材５１、下方構成部材５２について、それぞれ断面形状が半円の円弧状に限定されず、例えば上方構成部材５１の断面形状が１／３円の円弧状、下方構成部材の断面形状が２／３円の円弧状であっても良い。更に、筒状部材５を構成する上方構成部材５１、下方構成部材５２のいずれも、例えば木製等、土に帰ることのできる素材で形成されていることが望ましい。
【００３２】
上方構成部材５１の軸方向に沿った全長は、置き部材３の貫通孔３１の軸方向に沿った全長と同じか、若干大きくなっている。下方構成部材５２の筒状部材５の軸方向に沿った全長は、上方構成部材５１の筒状部材５の軸方向に沿った全長よりも長いもので、上方構成部材５１と下方構成部材５２とを組み合わせたときに、法面１０１とは反対側の端部が筒状部材５の軸方向に沿って突出した端部を有したものとなっている。この下方構成部材５２の上方構成部材５１よりも突出した部位が水受け部５２ａをなしている。すなわち、筒状部材５のうち水受け部５２ａを有する端部は、上方が切り欠かれた形態となっている。また、下方構成部材５２の下方には、通孔５４を有するフランジ５３が形成されており、フランジ５３と横置き部材３とを接した状態とし、フランジ５３の通孔に法面１０１とは反対側からボルト等の固定具５５を挿通させることで、筒状部材５を横置き部材３に固定している。
【００３３】
これにより、図２及び図３に示されるように、筒状部材５は、根葉を有する植物６を収納した状態で、法面１０１とは反対側の開口が上方を向くかたちで斜めに配置され、更に水受け部５２ａが突出しているので、水受け部５２ａで受けた雨水等の水分は、下方構成部材５２の内面を、根葉を有する植物６の根まで流れて、根葉を有する植物６の根に供給されることとなる。
【００３４】
また、図１から図３に示されるように、横置き部材３と横置き部材３との間に複数のスペーサ７が装着されており、これにより横置き部材３と横置き部材３との間に空間部Ｓが形成されている。スペーサ７は、図３に示されるように、空間部Ｓへの装着時に法面１０１側に突出した突出部位７１を有し、この突出部位７１に当該突出部位７１の径方向に突出したストッパ７２が形成されている。これにより、スペーサ７が法面１０１側から押されても、突出部位７１のストッパ７２が空間部Ｓの法面１０１側の開口縁に当たるので、スペーサ７が空間部Ｓから抜け落ちることが防止される。また、スペーサ７の材質は、例えば再生プラスチック等でも良いが、木材等、時間の経過により土に戻るものを用いるのがより好ましい。
【００３５】
そして、この空間部Ｓには、この実施例では、芝等の草体の種子が複数収納された収納袋８が装着されている。収納袋８は、種子から発芽した芝等の草体が袋から出やすいようにネット状になっている。そして、収納袋８の材質も、時間の経過により土に戻るものを用いるのが好ましい。
【００３６】
これにより、土留め用構造物１を法面１０１に構築した後、土留め用構造物１を構成する縦置き部材２、横置き部材３が朽ちるまでは、これらの縦置き部材２、横置き部材３によって、法面１０１の崩落や土砂の流出を防止することができる。そして、縦置き部材２、横置き部材３が朽ちた後でも、筒状部材５に収納された根葉を有する植物６や収納袋８に収納された種子から芽吹いた芝等の草体が成長しているため、かかる植物６の根や草体の根が法面１０１に張り巡らされた状態となっているので、これらの植物６や草体の根によって、法面１０１の崩落や土砂の流出を防止することができる。しかるに、土留め用構造物１の縦置き部材２、横置き部材３の交換等の改修は不要であり、これに伴い土留め用構造物１の縦置き部材２、横置き部材３の点検も不要となる。
【００３７】
次に、土留め用構造物１の法面１０１への構築方法の一例について以下に説明する、
【００３８】
第１の工程として、法面１０１との境界部分に、縦置き部材２ａ、２ｂを、所定間隔を開けて設置する作業を行う。次に、第２の工程として、最も下方に位置する横置き部材３ｅを、線状部材４を用いて縦置き部材２ａ、２ｂに取り付ける作業を行う。更に、第３の工程として、複数のスペーサ７を横置き部材３ｅの上方に所定間隔を開けつつ載せた後、スペーサ７の上に横置き部材３ｄを載せ、かかる横置き部材３ｄを、線状部材４を用いて縦置き部材２ａ、２ｂに取り付ける作業を行う。そして、第３の工程を繰り返して、例えば５つの横置き部材３ａ乃至３ｅが間にスペーサ７を介在させつつ積み重ねた態様とする。このように、横置き部材３（３ａ乃至３ｅ）を、スペーサ７を介在させつつ縦置き部材２（２ａ、２ｂ）に取り付けて積み重ねるときに、横置き部材３と法面１０１との間に隙間が生ずる場合があるが、この隙間は法面１０１の上方を崩す等して軟らかい土砂を形成し、この土砂で埋める。
【００３９】
前記第１の工程から第３の工程と平行して、又は５つの横置き部材３（３ａ乃至３ｅ）を全て積み重ねた後に、第４の工程として、横置き部材３の貫通孔３１に根葉を有する植物６が収納された筒状部材５を装着して、固定具５５により筒状部材５を横置き部材３に固定する作業を行う。
【００４０】
そして、５つの横置き部材３（３ａ乃至３ｅ）を全て積み重ねた後に、第５の工程として、横置き部材３、３の間の空間部Ｓに種子が収納された収納袋８を装着する作業を行う。この第５の作業は、前記筒状部材５を横置き部材３に装着、固定する第４の工程の作業と同時進行でも、かかる第４の工程の作業に前後させても良い。
【００４１】
以上によれば、前記第１の工程から第５の工程を適宜に行うことで、横置き部材３の貫通孔３１に根葉を有する植物６が収納された筒状部材５が装着され、且つ横置き部間３の空間部Ｓに草体の種子が収納された収納袋８が装着された状態で、法面１０１に土留め用構造物１を構築することができる。
【符号の説明】
【００４２】
１  土留め用構造物
２（２ａ、２ｂ）  縦置き部材
３（３ａ乃至３ｅ）  横置き部材
３１  貫通孔
４  線状部材
５  筒状部材
５１  上方構成部材
５２  下方構成部材
５３  フランジ
５４  通孔
５５  固定具
６  根葉を有する植物
７  スペーサ
８  収納袋
１００  敷地
１０１  法面
Ｓ  空間部
【図１】
2017082545.tif 000003
【図２】
2017082545.tif 000004
【図３】
2017082545.tif 000005
【図４】
2017082545.tif 000006